(57)【要約】【課題】食器洗い機本体を設置台上を滑らして押し込んでいく際に、給水ホース、排水ホースの薄肉部が設置作業により転倒防止金具のエッジに当接しないようにする。【解決手段】洗浄槽３を前後方向に移動可能に支持する筐体１６と、筐体１６の背面から外部に垂下するように配設された、洗浄槽３内に水を給水する給水ホース２３及び洗浄槽３内の水を槽外へ排水する排水ホース２４と、設置台１３等に取り付け筐体１６を含む食器洗い機本体１８が前方に転倒するのを防止する転倒防止金具２２とを備え、給水ホース２３、排水ホース２４は、薄肉部２３ａ、２４ａの外側に金属のエッジ等が当接しても破れない樹脂芯２３ｂ、２４ｂを複数備えるとともに、給水ホース２３、排水ホース２４の薄肉部２３ａ、２４ａより、先に樹脂芯２３ｂ、２４ｂに当接するよう、転倒防止金具２２の係止部２２ｂの先端に折り曲げ部を有して略Ｌ字状に形成された食器洗い機である。【選択図】図１
2014188154.tif 000002
【特許請求の範囲】
【請求項１】
食器類を収容する洗浄槽を前後方向に移動可能に支持する筐体と、前記洗浄槽内に水を給水する給水ホース及び前記洗浄槽内の水を槽外へ排水する排水ホースと、設置台等に取り付けられ前記筐体を含む食器洗い機本体が前方に転倒するのを防止する転倒防止金具とを備え、前記給水ホースと前記排水ホースのうち少なくともいずれかのホースが前記筐体の背面から外部に垂下するように配設され、少なくとも前記垂下するように配設されたホースは、薄肉部の外側に金属のエッジ等が当接しても破れない樹脂芯を複数備え、前記転倒防止金具は、前記筐体に当接する係止部を有し、前記係止部は、前記薄肉部より先に前記樹脂芯に当接するように先端に折り曲げ部を有して略Ｌ字状に形成された食器洗い機。
【請求項２】
前記折り曲げ部は、上下長さが隣り合う樹脂芯同士の間隔よりも長く形成された請求項１記載の食器洗い機。
【発明の詳細な説明】
【技術分野】
【０００１】
本発明は、キッチンの流し台等の下に設置される食器を洗浄する設置型の食器洗い機に関する。
【背景技術】
【０００２】
従来、上方に開口部を有し食器類を収容する洗浄槽と、この洗浄槽を前後方向に移動可能に支持する板金製の筐体と、設置台等に取り付けられ前記筐体を含む食器洗い機本体が前方に移動するのを防止する前ずれ防止部材と、前記設置台等に取り付けられ食器洗い機本体が前方に転倒するのを防止する板金製の転倒防止金具とを備え、前記筐体の底面の四隅に脚となる凸部を有し、前記転倒防止金具は食器洗い機本体が後方へ移動するのを防止するように設置台に取り付けられた設置型の食器洗い機が提案されている（例えば、特許文献１参照）。
【０００３】
この種の食器洗い機は図３〜図４に示すように構成されていた。図３は、従来の食器洗い機の側面断面図で、図４は従来の食器洗い機の背面図である。以下、その構成について説明する。
【０００４】
筐体１６は、前方に開口部１７を有するとともに、上方が開口した洗浄槽３をレール４を介して前後方向に移動可能に支持している。洗浄槽３内には洗浄水を噴射するノズル５を回転自在に設けるとともに、食器類６を収容する食器かご７を配置している。洗浄槽３内の洗浄水はヒータ８によって温められながら、洗浄ポンプ９によって排水口１０より吸い込まれ、ノズル５へと送られる。ノズル５へ送られた洗浄水は洗浄槽３内へ噴射され、食器かご７に収容された食器類６を洗浄する。
【０００５】
脚１９は筐体１６の底面の四隅に形成した凸部により構成され、食器洗い機本体１８を設置台１３上に支持している。前ずれ防止部材２０は、食器洗い機本体１８を設置台１３の上の所定位置に設置し、洗浄槽３を前方に引き出すときの衝撃で、食器洗い機本体１８が前方に移動するのを防止するもので、ねじ等で設置台１３に固定され食器洗い機本体１８を構成する筐体１６に当接して保持している。
【０００６】
また転倒防止金具２２は、引き出した洗浄槽３に下向きに力が加えられたとき、食器洗い機本体１８の後部が浮き上がって前方に転倒するのを防止するもので、ねじ等で設置台１３に固定される。転倒防止金具２２は、水平に形成された係止部２２ｂで食器洗い機本体１８を構成する筐体１６を係止し、食器洗い機本体１８が転倒するのを防止するとともに、垂直部分で後方へ移動することを防止する。
【０００７】
給水ホース２３は洗浄槽３内に水を給水するホースであり、排水ホース２４は洗浄槽３内の水を槽外へ排水するホースであり、これらのホースは通常柔軟性のある塩ビ等の樹脂で形成されるとともに、筐体１６の背面上部から垂下するように配設されている。
【先行技術文献】
【特許文献】
【０００８】
【特許文献１】特開２００４−１４７７４０号公報
【発明の概要】
【発明が解決しようとする課題】
【０００９】
このような従来の食器洗い機においては、設置者が食器洗い機本体１８を設置する場合、設置台１３上を食器洗い機本体１８を前方から滑らして押し込んでいく。しかしながら、このとき、筐体１６の背面上部から垂下するように配設された給水ホース２３または排水ホース２４が設置作業により転倒防止金具２２の係止部２２ｂと筐体１６の間に挟まれ、係止部２２ｂのエッジにより傷つくおそれがあった。
【００１０】
本発明は、前記従来の課題を解決するもので、設置の際、転倒防止金具のエッジが給水ホース、排水ホースの樹脂薄肉部にあたらないようにし、給水ホース、排水ホースが傷つくことを防止するとともに、いちいち給水ホース、排水ホースを転倒防止金具から遠ざける位置に持ってくる等の配慮が不要である設置作業性に優れた食器洗い機を提供することを目的とする。
【課題を解決するための手段】
【００１１】
前記従来の課題を解決するために、本発明の食器洗い機は、食器類を収容する洗浄槽を前後方向に移動可能に支持する筐体と、前記洗浄槽内に水を給水する給水ホース及び前記洗浄槽内の水を槽外へ排水する排水ホースと、設置台等に取り付けられ前記筐体を含む食器洗い機本体が前方に転倒するのを防止する転倒防止金具とを備え、前記給水ホースと前記排水ホースのうち少なくともいずれかのホースが前記筐体の背面から外部に垂下するように配設され、少なくとも前記垂下するように配設されたホースは、薄肉部の外側に金属のエッジ等が当接しても破れない樹脂芯を複数備え、前記転倒防止金具は、前記筐体に当接する係止部を有し、前記係止部は、前記薄肉部より先に前記樹脂芯に当接するように先端に折り曲げ部を有して略Ｌ字状に形成された食器洗い機である。
【００１２】
これにより、設置作業に際し、転倒防止金具のエッジが垂下するように配設された給水ホース薄肉部と排水ホース薄肉部に当接しないようにし、給水ホース、排水ホースが傷つくことを防止するとともに、いちいち給水ホース、排水ホースを転倒防止金具から遠ざける位置に持ってくる等の配慮を不要にすることができる。
【発明の効果】
【００１３】
本発明の食器洗い機は、設置作業により転倒防止金具のエッジが給水ホース薄肉部と排水ホース薄肉部に当接することを防止できるため、給水ホース、排水ホースが傷つくことを防止できるとともに、設置作業の際に、給水ホース、排水ホースを転倒防止金具から遠ざける位置に持ってくる等の配慮を不要にすることができる。
【図面の簡単な説明】
【００１４】
【図１】本発明の実施の形態１における食器洗い機の側面断面図
【図２】本発明の実施の形態１における食器洗い機の要部断面図
【図３】従来の食器洗い機の側面断面図
【図４】従来の食器洗い機の背面図
【発明を実施するための形態】
【００１５】
第１の発明は、食器類を収容する洗浄槽を前後方向に移動可能に支持する筐体と、前記洗浄槽内に水を給水する給水ホース及び前記洗浄槽内の水を槽外へ排水する排水ホースと、設置台等に取り付けられ前記筐体を含む食器洗い機本体が前方に転倒するのを防止する転倒防止金具とを備え、前記給水ホースと前記排水ホースのうち少なくともいずれかのホースが前記筐体の背面から外部に垂下するように配設され、少なくとも前記垂下するように配設されたホースは、薄肉部の外側に、金属のエッジ等が当接しても破れない樹脂芯を複数備え、前記転倒防止金具は、前記筐体に当接する係止部を有し、前記係止部は、前記薄肉部より先に前記樹脂芯に当接するように先端に折り曲げ部を有して略Ｌ字状に形成された食器洗い機である。
【００１６】
この構成によって、設置作業に際し、転倒防止金具のエッジが給水ホース薄肉部と排水ホース薄肉部に当接しないようにすることができる。従って、給水ホース、排水ホースが傷つくことを防止できるとともに、設置作業の際に、給水ホース、排水ホースを転倒防止金具から遠ざける位置に持ってくる等の配慮を不要にすることができる。
【００１７】
第２の発明は、第１の発明において、折り曲げ部は、上下長さが隣り合う樹脂芯同士の間隔よりも長く形成されたもので、転倒防止金具のエッジが給水ホース薄肉部と排水ホース薄肉部に、より確実に当接しないようにすることができる。
【００１８】
以下、本発明の実施の形態について、図面を参照しながら説明する。なお、この実施の形態によって本発明が限定されるものではない。
【００１９】
（実施の形態１）
図１は本発明の実施の形態１における食器洗い機の側面断面図で、食器洗い機がシステムキッチンに収納される位置より少し前方に飛び出した状態、まだ完全に転倒防止金具に支えられていない状態を示す。図２は同食器洗い機の要部側面断面図である。
【００２０】
図１において、筐体１６は、前方に開口部１７を有するとともに、上方が開口した洗浄槽３をレール４を介して前後方向に移動可能に支持している。洗浄槽３内には洗浄水を噴射するノズル５を回転自在に設けるとともに、食器類６を収容する食器かご７を配置している。洗浄槽３内の洗浄水はヒータ８によって温められながら、洗浄ポンプ９によって排水口１０より吸い込まれ、ノズル５へと送られる。ノズル５へ送られた洗浄水は洗浄槽３内へ噴射され、食器かご７に収容された食器類６を洗浄する。
【００２１】
脚１９は筐体１６の底面の四隅に形成した凸部により構成され、食器洗い機本体１８を設置台１３上に支持している。前ずれ防止部材２０は、食器洗い機本体１８を設置台１３の上の所定位置に設置し、洗浄槽３を前方に引き出すときの衝撃で、食器洗い機本体１８が前方に移動するのを防止するもので、ねじ等で設置台１３に固定され食器洗い機本体１８を構成する筐体１６に当接して保持している。
【００２２】
また、転倒防止金具２２は、引き出した洗浄槽３に下向きに力が加えられたとき、食器洗い機本体１８の後部が浮き上がって前方に転倒するのを防止するとともに、食器洗い機本体１８が後方へ移動するのを防止するもので、図２に示すように、水平の係止部２２ｂの先端が下向きの略Ｌ字状に形成され、取付部２２ａでねじ等で設置台１３に固定される。そして、取付部２２ａより高い位置に形成した係止部２２ｂで食器洗い機本体１８を構成する筐体１６を係止し、垂直の位置規制部２２ｃで筐体１６の後方への移動を防止している。
【００２３】
給水ホース２３は洗浄槽３内に水を給水するホースであり、排水ホース２４は洗浄槽３内の水を槽外へ排水するホースであり、これらのホースは通常柔軟性のある塩ビ等の樹脂で形成され、図１及び図２に示すように、薄肉部２３ａ、２４ａの外側に、金属のエッジ等が当接しても破れない樹脂芯２３ｂ、２４ｂを備えている。給水ホース２３、排水ホース２４は、設置台１３への設置前の状態では、ともに筐体１６の背面上部から外部の下方に垂れ下がった状態、すなわち垂下するように配設されている。なお、これらのホースは必ずしも両方が垂下するように配設されているとは限らず、例えば、排水ホース２４は背面下部に引き出されているような場合もある。
【００２４】
転倒防止金具２２の係止部２２ｂは図２に示すように、位置規制部２２ｃの上端部から水平前方に延出し、さらにその先が下方に垂下する折り曲げ部２２ｄを有して断面略Ｌ字状に形成され、先端の折り曲げ部２２ｄの上下長さは、先に排水ホース２４の樹脂芯２４ｂに当接し、内側の薄肉部２４ａには当接しない長さになっている。図２には図示しないが、この転倒防止金具２２の係止部２２ｂは、給水ホース２３の薄肉部２３ａ、樹脂芯２３ｂに対しても同様の関係にある。
【００２５】
以上のように構成された食器洗い機について、図を用いてその動作と作用を説明する。設置者が食器洗い機本体１８を設置台１３に設置する場合、設置台１３に転倒防止金具２２をねじ等で固定し、食器洗い機本体１８を設置台１３上で前方から滑らせ転倒防止金具２２まで押し込み、前ずれ防止部材２０を設置台１３にねじ等で固定し、洗浄槽３を前方に引き出すときの衝撃で、食器洗い機本体１８が前方に移動しないようにする。この設置の際、給水ホース２３、排水ホース２４が転倒防止金具２２に当接する場合、係止部２２ｂの折り曲げ部２２ｄが給水ホース２３、排水ホース２４の薄肉部２３ａ、２４ａより先に給水ホース２３、排水ホース２４の樹脂芯２３ｂ、２４ｂが当接するため、金属等のエッジで破れる恐れのある薄肉部２３ａ、２４ａに転倒防止金具２２のエッジ部が当接しない。
【００２６】
以上のように、本実施の形態１の構成においては、給水ホース２３、排水ホース２４は、薄肉部２３ａ、２４ａの外側に、金属のエッジ等が当接しても破れない樹脂芯２３ｂ、２４ｂを備えているとともに、転倒防止金具２２の係止部２２ｂは先端に折り曲げ部２２ｄを有して略Ｌ字状に形成され、折り曲げ部２２ｄは、給水ホース２３、排水ホース２４の樹脂芯２３ｂ、２４ｂに当接することで、薄肉部２３ａ、２４ａに当接しない上下の長さになっているため、転倒防止金具２２のエッジ部が金属等のエッジで破れる恐れのある薄肉部２３ａ、２４ａに当接するのを防止できるとともに、設置作業中に、いちいち給水ホース２３、排水ホース２４を転倒防止金具２２から遠ざける位置に持ってくる等の配慮を不要にすることができる。すなわち、折り曲げ部２２ｄの上下長さは、隣り合う樹脂芯２３ｂ、２４ｂ同士の間隔Ｄよりも長く形成されている。
【００２７】
なお、転倒防止金具２２の形状は、給水ホース２３、排水ホース２４には、薄肉部２３ａ、２４ａに当接しないものであれば、本実施の形態に記載の形状に限定されるものではない。また、折り曲げ部２２ｄの形状は、本実施の形態では下方に折り曲げたものとしたが、上方に折り曲げたものとしても良い。
【００２８】
また、樹脂芯により補強されたホースは、少なくとも筐体の背面上部から外部の下方に垂下するように配設されるホースに用いられるのが特に転倒防止金具に対して効果的であるが、その他の部分から引き出されるホースに用いられても、金属による傷つきを防止するためには効果的である。
【産業上の利用可能性】
【００２９】
以上のように、本発明にかかる食器洗い機は、設置台への設置に際し、垂下するように配設された給水ホース、排水ホースが傷つくことを防止できるとともに、いちいち給水ホース、排水ホースを転倒防止金具から遠ざける位置に持ってくる等の配慮を不要にすることができるので、キッチンの流し台等の下に設置される設置型であれば、食器洗い機だけでなく、食器乾燥機としても有用である。
【符号の説明】
【００３０】
３  洗浄槽
６  食器類
１３  設置台
１６  筐体
１８  食器洗い機本体
１９  脚
２０  前ずれ防止部材
２２  転倒防止金具
２２ｂ  係止部
２２ｄ  折り曲げ部
２３  給水ホース
２３ａ  薄肉部
２３ｂ  樹脂芯
２４  排水ホース
２４ａ  薄肉部
２４ｂ  樹脂芯
【図１】
2014188154.tif 000003
【図２】
2014188154.tif 000004
【図３】
2014188154.tif 000005
【図４】
2014188154.tif 000006